(57)【要約】【課題】マスク着用状態でも呼吸をしやすくし、呼吸による湿気をおびないようにし、合成樹脂で形成されたワイヤーを使って安全性を向上させ、手で触らなくてもスペースが確保でき、口紅や唾液が本体の裏につかないようにし、超音波シーリング処理をする場合、超音波を使って模様や文字などを多様に表現でき、固定紐が顔につく部分を最少化して化粧品がつかないようにし、肌の損傷を最少化し、折って保管でき、折って保管する場合も模様及び形態が変形されず、繰り返して使用できる３ワイヤーマスクを提供する。【解決手段】２層の不織布と内部に１層のフィルターで形成される本体の上部に鼻と密着できるように第１ワイヤーを内蔵し、上記の本体の中央には突出部を形成させ、上記の突出部の上部及び下部にそれぞれ第２及び第３ワイヤーを内蔵して、使用の際、上記の突出部が突出された状態を維持し、スペースを確保できるようにする。【選択図】図１
2015084942.tif 000002
【特許請求の範囲】
【請求項１】
一定の面積を持つ２層の不織布の間に１層のフィルターが形成され、上部に顔の鼻の部分を包んで密着できるように第１ワイヤー（Ｙ１）が挿入され超音波シーリング処理により内蔵され、中央には一定の部分が裏側に重なるように形成させて使用の際上記裏側と反対側に位置する表側に突出されスペースを確保できるようにする突出部（１２）を形成させ、上記突出部（１２）の上部及び下部には確保されたスペースが維持できるようにそれぞれ第２及び第３ワイヤー（Ｙ２）（Ｙ３）が挿入されて超音波シーリング処理により内蔵される本体と；
上記本体（１０）の両側にそれぞれ固定され、上記本体（１０）を顔に密着、固定させる固定紐（２０）と；
上記本体（１０）の両側に超音波シーリング処理され上記固定紐（２０）を堅く固定する固定バンド（３０）；を含むことを特徴とする３ワイヤーマスク。
【請求項２】
上記固定紐（２０）は収縮することができ、上記本体（１０）の表側の両側上部及び下部にそれぞれ固定させ、使用の際上記本体（１０）の両側面が顔に緊密に密着できるようにして密閉性と着用感が向上するようにしたことを特徴とする請求項１に記載の３ワイヤーマスク。
【発明の詳細な説明】
【技術分野】
【０００１】
本発明は、マスクに関し、より詳細には上記マスクの本体上部には第１ワイヤーを内蔵し、鼻の部位の顔への密着性を向上させ、中央には突出部を形成させ、上記突出部の上部及び下部にそれぞれ第２及び、第３ワイヤーを内蔵して突出された状態を維持しスペースを確保できるようにすることで、マスクをつけた状態でも呼吸しやすくすることができ、対話が容易にでき、呼吸による湿気をおびないようにし、防寒効果を高め、快適な着用感が提供でき、合成樹脂で形成されたワイヤーを使って安全性を向上させ、手で触らなくてもスペースが確保でき、口紅や唾液がつかないようにして、マスクを衛生的に使え、上記ワイヤーを本体に内蔵するために超音波シーリング処理をする場合、超音波を利用して模様や文字などを多様に表現できて、審美感を与え、上記固定紐が顔に触れる部分を最小化し、化粧品がつかないようにして、肌の損傷を最小化する効果があり、マスクを使わない時折って便利に保管でき、折って保管する場合も模様及び形態が変形されず、繰り返して使用できるようにする３ワイヤーマスクに関する。
【背景技術】
【０００２】
周知のようにマスクは顔の鼻と口を覆ったり防いだりして空気中の飛散するほこりや花粉、病菌の吸入を遮断する衛生用品の一種として主に風邪の伝染を予防するか冷たい空気を遮断する保温及び、防寒の目的で使用されており、最近多様な分野でその使い方にあわせて製作されて使用されている。
【０００３】
一般的な従来のマスクの構成は織物紙を長方形の形態で裁断及び裁縫をして本体を備えた後、上記本体の両側上／下段に弾性を持つ二つの固定紐を耳にかけて上記の本体を密着、固定させて着用する。
【０００４】
このような従来のマスクは上記の本体が鼻と口に密着させるため、呼吸することが非常に不便であり、また上記のマスクを着用した状態での対話も非常に困難で、対話の際マスクを脱いだり上記本体を前に引っ張ってスペースを確保した状態で対話をするといった難点があり、何よりも上記本体と口とのスペースがないため、本体の裏に口紅また唾液がついたり、また呼吸により湿気が発生して悪臭と細菌が増えるなど多くの問題点によりマスクの使用期間を短くするとの結果を生じている。
【０００５】
また、従来のマスクを冬に着用したら呼吸をしながら発生する湿気が肌に触れて冷たく感じさせ防寒効果を低下させることはもちろん、不愉快感を醸成する問題点が発生する。
【０００６】
このような問題点を解消するために最近鉄のワイヤーが内蔵されたマスクが提案されたが、上記の鉄のワイヤーは安全性に欠く問題点を含めていて、フレキシビリティーが劣り、マスク着用の際、スペースの確保のために手で立体的な形を握ってあげるべく、衛生的な使用が不可能であった。
【０００７】
また、マスク本体の側面に固定紐の端部をシーリングして固定させるため、上記固定紐に触れる肌が損傷される問題点が生じ、マスク未使用の際、折って保管する場合、形が崩れ、繰り返して使用できない問題点が指摘された。
【発明の概要】
【発明が解決しようとする課題】
【０００８】
従って、上記のような問題点を解消するために本発明は２層の不織布と内部に１層のフィルターで形成される本体の上部には鼻の部位顔と密着できるように第１ワイヤーを内蔵し、上記本体の中央には突出部を形成させ、上記突出部の上部及び下部にそれぞれ第２及び第３ワイヤーを内蔵し使用の際上記突出部が突出された状態を維持しスペースを確保できるようにすることで、呼吸をしやすくできるようにすることはもちろん対話が容易にでき、口紅や唾液が上記本体の裏につかないようにして衛生的に使えるようにし、固定紐の各端部を本体の裏に固定させ上記本体が顔により密着するようにして密閉性と着用感を同時に向上できるようにして上記の固定紐が顔に触れる部分を最少化して化粧品がつかないようにし、肌の損傷を最小かするようにした３ワイヤーマスクを提供することを目的とする。
【課題を解決するための手段】
【０００９】
上記のような目的を達するため、本発明は一定面積を持つ２層の不織布と１層のフィルターで形成され、上部には体の鼻の部分を包み密着できるように第１のワイヤーが挿入され超音波シーリング処理により内蔵され、中央には一定の部分が裏側に重なるように形成され、使用の際、上記裏側と反対側に位置する表側に突出されてスペースを確保できるようにする突出部を形成させ、上記突出部の上部及び下部には確保されたスペースが維持できるようにそれぞれ第２及び第３ワイヤーが挿入され超音波シーリング処理により内蔵される本体と；上記の本体の両側にそれぞれ固定され上記の本体を顔に密着、固定させる固定紐と；上記の本体の両側に超音波シーリング処理され、上記の固定紐を堅く固定する固定バンド；を含めてできたものであることを特徴とする。
【００１０】
また、本発明は上記の固定紐は上記本体の表側の両側上部及び下部にそれぞれ固定させ、使用の際上記の本体の両側面が顔に緊密に密着できるようにして密閉性と着用感が向上するようにしたことを特徴とする。
【発明の効果】
【００１１】
上述したように本発明の３ワイヤーマスクを提供することにより、呼吸しやすくできるようにすることはもちろん、対話が容易にできるようになり、口紅や唾液が上記の本体の裏につかないようにし、マスク着用の際スペースを確保するため、手で触らなくても多数のワイヤーが自然に曲がりスペースが確保できるため、長い間衛生的な使用を可能にする効果がある。
【００１２】
また、確保されたスペースのため、上記本体の裏面に湿気が発生せず、防寒効果を極大化させることはもちろん、快適な着用感を提供する効果がある。
【００１３】
また、上記ワイヤーを合成樹脂に形成して提供し、安全感を向上させ、上記ワイヤーを本体に内蔵するために超音波シーリング処理をする場合、超音波を使って模様及び、文字などを多様に表現できて審美感を与える効果がある。
【００１４】
また、固定紐の各端部を本体の表に固定させ、上記本体が顔により密着するようにして密閉性と着用感を同時に向上でき、上記の固定紐が顔に触れる部分を最少化して化粧品がつかないようにし、肌の損傷を最少化する効果があり、マスク未使用の際、折って便利に保管でき、折って保管する場合も模様及び形態が変形されず、繰り返して使用できるようにするといった効果が得られる。
【図面の簡単な説明】
【００１５】
【図１】本実施形態に係るマスクの第１実施例を図示した斜視図である。
【図２】本実施形態に係るマスクの第１実施例を図示した正面例示図である。
【図３】本実施形態に係るマスクの第１実施例を図示した側断面図である。
【図４】本実施形態に係るマスクの第１実施例を図示した使用状態を図示した例示図である。
【図５】本実施形態に係るマスクの第２実施例を図示した斜視図である。
【図６】本実施形態に係るマスクの第２実施例を図示した正面例示図である。
【図７】本実施形態に係るマスクの第２実施例を図示した側断面図である。
【図８】本実施形態に係るマスクの第２実施例を図示した使用状態を図示した例示図である。
【図９】本実施形態に係るマスクの第３実施例を図示した斜視図である。
【図１０】本実施形態に係るマスクの第３実施例を図示した側断面図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
以下、添付された図面を参照して本実施形態を具体的に説明する。図示されたように本発明の３ワイヤーマスクは本体（１０）と固定紐（２０）及び固定バンド（３０）で大きく構成される。
【００１８】
上記の本体（１０）は体の鼻と口と顎などを包み空気中の飛散するほこりや花粉、病菌の吸入を遮断し、冷気を遮断して保温及び防寒をするようにする通常的な機能を有するが、ここで上記の本体（１０）は一定面積を持つ２層の不織布と１層のフィルターによって形成され、上部には体の鼻の部分を包んで密着できるように第１ワイヤー（Ｙ１）が挿入され、超音波シーリング処理により内蔵され、中央には一定部分が本体の裏側に重なるように形成され、使用の際表に突出されてスペースを確保できるようにする突出部（１２）を形成させ、上記の突出部（１２）の上部及び下部には確保されたスペースを維持できるようにそれぞれ第２及び第３ワイヤー（Ｙ２）（Ｙ３）が挿入され、超音波シーリング処理により内蔵させる。
【００１９】
この際、上記の第１乃至第３ワイヤー（Ｙ１）（Ｙ２）（Ｙ３）は従来の鉄のワイヤーの代わりに安全性を高める合成樹脂を圧出加工または引き抜き加工により厚さが薄い一定の長さを持つスティックの形態で提供されるのが望ましいが、上記の第１ワイヤー（Ｙ１）は体の鼻の部分に上記の本体（１０）が密着されるようにして密閉性を向上させ外部のほこりや花粉、病菌の吸入を遮断し、上記の第２及び第３ワイヤー（Ｙ２）（Ｙ３）はフレキシビリティーにより上記の突出物（１２）が表に突出され確保されたスペースを維持するのである。
【００２０】
つまり、マスクを着用するために上記固定紐（２０）を耳にそれぞれつけたら上記第２及び第３ワイヤー（Ｙ２）（Ｙ３）が前方を向けて曲がり、突出部（１２）を突出させ、スペースを確保できるようにすることで、上記の本体（１０）を触らなくてもスペースの確保ができ、衛生的な使用ができ、上記確保されたスペースのため、湿気が発生せず、防寒効果を極大化させ、快適な着用感を与えられるようになる。
【００２１】
また、上記第１乃至第３ワイヤー（Ｙ１）（Ｙ２）（Ｙ３）を内蔵するために超音波シーリング処理をする場合、超音波を使って模様や文字などを多様に表現して審美感を与え、マスク未使用の際、折って保管する場合、形態を維持させ繰り返して使用できるようになる。
【００２２】
上記の固定紐（２０）は、上記の本体（１０）を顔に密着、固定させるものとしてそれ自体の伸縮性を持つ一定の長さの紐を備え、上記の本体（１０）の両側にそれぞれ固定させる。
【００２３】
この際、上記の固定紐（２０）は、上記の本体（１０）表の両側上部及び下部にそれぞれ固定させ使用の際上記の本体（１０）が顔にもっと密着できるようにして密閉性と着用感が向上できるようにするのが望ましい。
【００２４】
上記の固定バンド（３０）は、一定面積を持つ不織布を備えて上記の本体（１０）の両側に超音波シーリング処理し、上記の固定紐（２０）が堅く固定できるようにする。
【００２５】
上記のような構成でできた本発明の３ワイヤーマスクの作用は、先ず、使用者が上記の固定紐（２０）を耳にかけ、上記の本体（１０）が顔を覆う状態で上記の本体（１０）を上／下に引っ張れば上記の本体（１０）の中央裏に重なっていた部分が広がりながら突出部（１２）が表に突出され、スペースを確保することになり、上記の第１ワイヤー（Ｙ１）は鼻面に位置され上記の本体（１０）が鼻と密着されてほこりや花粉、病菌などの吸入を遮断できるようになる。
【００２６】
この際、上記の突出部（１２）の上部及び下部に内蔵された第２及び第３ワイヤー（Ｙ２）（Ｙ３）はフレキシビリティーにより曲がりながら上記の突出部（１２）の確保されたスペースを引き続き維持でき、女性の場合、口紅または唾液が本体（１０）につかないので衛生的に使え、対話を円滑にでき、呼吸も容易にできるようになる。
【００２７】
また、上記の固定紐（２０）は上記の本体（１０）の表の両側上／下部にそれぞれ固定されているため、固定紐（２０）を耳にかけた場合、上記の本体（１０）の両側面が全体的に顔に緊密に密着されて密閉性と着用感を同時に向上させ、製品に対する信頼度を高めるようになる。
【００２８】
以上、説明した本発明の３ワイヤーマスクの実施例は例示的にすぎず、本発明が属された技術分野の通常の知識を持つものであればこれにより多様な変形及び均等な他の実施例が可能だということを理解するであろう。
【００２９】
それゆえ本発明は、上記の詳細な説明で触れられる形だけに限定ものではないことをよく理解できるのである。従って本発明の真の技術的な保護範囲は添付された特許請求の範囲の技術的な思想によって定められるべきである。また、本発明は添付された特許請求の範囲によって定義される本発明の精神とその範囲内にある全ての変形物と均等物及び代替物を含むものと理解されなければならない。
【符号の説明】
【００３０】
１０      本体
１２      突出部
Ｙ１〜Ｙ３  第１乃至第３ワイヤー
２０      固定紐
３０      固定バンド
【図１】
2015084942.tif 000003
【図２】
2015084942.tif 000004
【図３】
2015084942.tif 000005
【図４】
2015084942.tif 000006
【図５】
2015084942.tif 000007
【図６】
2015084942.tif 000008
【図７】
2015084942.tif 000009
【図８】
2015084942.tif 000010
【図９】
2015084942.tif 000011
【図１０】
2015084942.tif 000012